(57)【特許請求の範囲】
【請求項１】
側面部を有するシャーシと、
前記シャーシの側面部と相対する側面部を有する外装カバーと、
前記シャーシおよび前記外装カバーの外部から検知可能なタグ部材を備えるタグ保持部材と
を備え、
前記タグ部材は、前記外装カバーの内部に保持され、
前記タグ保持部材は、外部から検知可能なタグ部材を案内保持する保持部を上部に備え、保護対象装置に保持される係合部を下部に備え、前記係合部には前記保護対象装置のシャーシの側面部を挟持する溝と前記シャーシの側面部に設けられた開口部に係合する突出部とが形成され、
前記シャーシは、側面部に、前記突出部と係合する開口部を有し、
前記タグ保持部材の係合部が、前記シャーシの側面部と前記外装カバーの側面部の間に保持されることを特徴とする、タグ保持部材を備えた装置。
【請求項２】
前記タグ保持部材は、前記保持部からヒンジを介して一体に設けられた蓋と、前記蓋と係合する係合爪とをさらに有し、前記蓋は前記保持部に対して開閉可能であって、前記係合爪は前記タグ部材を前記保持部と前記蓋とで閉じた状態に保持することを特徴とする、請求項１に記載のタグ保持部材を備えた装置。
【請求項３】
前記係合部はテーパを有することを特徴とする、請求項１または請求項２記載のタグ保持部材を備えた装置。
【請求項４】
前記保持部が前記シャーシの側面部の上端より上に設けられていることを特徴とする、請求項１または２に記載のタグ保持部材を備えた装置。
【請求項５】
前記突出部の前記シャーシ板厚方向の係合長さが、前記外装カバーの内面と前記係合部の背面との間で形成される隙間より長く形成されていることを特徴とする、請求項１または２に記載のタグ保持部材を備えた装置。
【請求項６】
前記蓋を閉じたとき、前記蓋のリブ背部と前記外装カバー内面との隙間は、前記蓋の保持に必要な程度に十分小さく形成されていることを特徴とする、請求項１または２に記載のタグ保持部材を備えた装置。
【発明の詳細な説明】
【０００１】
【発明の属する技術分野】
本発明は、商品の盗難を防止するセキュリティータグ部材の保持部材を備えた装置に関する。
【０００２】
【従来の技術】
近年、商品の盗難防止のために、外部から検知可能なセキュリティタグ部材（以下単にタグ部材と称す）を利用したセキュリティー装置が多く使われるようになってきた。従来のセキュリティー装置は、商品を収容した包装ケースの外側の開閉部分に粘着シートで、外部から検知可能なタグ部材を貼り付けることで、店舗の出口などに設置された電気的または磁気的手段からなる検知手段によって商品の持ち出しを検知するよう構成され、商品の抜き取りを防止している（例えば、特許文献１参照）。
【０００３】
電気的または磁気的手段からなる検知手段はよく知られているように、代表的なものとしては、例えば▲１▼マグネチック方式や▲２▼ラジオフリーケンシィー方式や▲３▼アコーストマグネチック方式がある。▲１▼マグネチック方式ではタグ部材の素材としてアモルファス金属が用いられ、これによりタグ部材の存在を検知するものである。アモルファス金属は非常に磁化しやすい特性があり、外部の検知手段などから作られる磁界に入ると交流磁界の影響を受けてタグ部材自体が磁化して指向性の強い電気的なパルスを発生する。このパルスによるノイズを前記検知手段の受信アンテナが検知するとアラームが発生する。
【０００４】
また▲２▼ラジオフリーケンシィー方式ではタグ部材はコイルとコンデンサを組合せたＬＣ共振回路構造のものが使用される。検知手段の発信・受信アンテナ間にタグ部材が入ると、タグ部材は共振し同一周波数の電波を再放射する。この再放射された電波は検知手段の発信アンテナからの電波と位相がずれているのでこれを検知してアラームを発生する。
【０００５】
また▲３▼アコーストマグネチック方式では、アモルファス金属製の薄板が複数枚並行にならべられた構造のものが使用される。タグ部材は検知手段の発信アンテナから非常に短い間隔でオン、オフを切り替えて出された電波を受けて共振し、タグ部材自ら微弱電波を出す。その際、前記発信アンテナからの電波放射が止まってもタグ部材から減衰しながら出る電波によって検知するものである。
【０００６】
しかしながら、ＤＶＤプレーヤなど包装ケースの内部に納められた状態で販売される大半の商品では、タグ部材は包装ケースに取り付けられるが、包装ケースは輸送中に傷みやすい。このためタグ部材を取り付ける作業は、小売店に届けられた後に行わなければならなかった。
【０００７】
このため、タグ部材を包装ケースの内部に取り付ける構成が提案されている。図７は、こうした従来のタグ部材３２の取り付けを表す断面図で、３０はＤＶＤプレーヤなどの保護対象商品、３１は輸送中に商品３０を保護するクッションであり、外側の表面に凹みが形成されてここにタグ部材３２が貼り付けられている。３３はこれらを納める包装ケースである。こうした構成によれば、輸送中にタグ部材３２を傷めることがないので、輸送前に製造元でタグ部材３２を取り付けることができる。
【０００８】
【特許文献１】
実用新案登録第３０４１２８５号公報
【０００９】
【発明が解決しようとする課題】
しかしながら上記の従来の構成では、タグ部材３２を包装ケース３３の外側、あるいは内側のいずれに配置した場合でも、包装ケース３３からクッション３１を残して商品３０のみが抜き取られたような不正行為が行われた場合には、この不正行為の発生を検知することができないという問題点を有していた。
【００１０】
本発明はこのような従来の課題を解消し、包装ケースから商品が抜き取られた場合でも検知可能な構造のタグ保持部材を備えた装置を提供することを目的とするものである。
【００１１】
この目的を達成するために本発明は、側面部を有するシャーシと、前記シャーシの側面部と相対する側面部を有する外装カバーと、前記シャーシおよび前記外装カバーの外部から検知可能なタグ部材を備えるタグ保持部材とを備え、前記タグ部材は、前記外装カバーの内部に保持され、前記タグ保持部材は、外部から検知可能なタグ部材を案内保持する保持部を上部に備え、保護対象装置に保持される係合部を下部に備え、前記係合部には前記保護対象装置のシャーシの側面部を挟持する溝と前記シャーシの側面部に設けられた開口部に係合する突出部とが形成され、前記シャーシは、側面部に、前記突出部と係合する開口部を有し、前記タグ保持部材の係合部が、前記シャーシの側面部と前記外装カバーの側面部の間に保持される、タグ保持部材を備えた装置を提供する。この構成によって、タグ部材を備えるタグ保持部材がシャーシおよび外装カバーで被われるので、タグ部材は、外部から検知可能な状態で、商品の内部に確実に保持される。本発明について次にさらに詳細に説明する。
【００１２】
本発明のタグ保持部材を備えた装置のタグ保持部材は、外部から検知可能なタグ部材を案内保持する保持部を上部に備え、保護対象装置に保持される係合部を下部に備え、係合部には保護対象装置のシャーシの側面部を挟持する溝とシャーシの側面部に設けられた開口部に係合する突出部とが形成される。この構成によってタグ保持部材は保護対象装置のシャーシ側面部に簡単に装着できる。
【００１３】
また、本発明のタグ保持部材を備えた装置のタグ保持部材は、保持部からヒンジを介して一体に設けられた蓋と、蓋と係合する係合爪とを保持部にさらに有し、蓋は保持部に対して開閉可能であって、この係合爪はタグ部材を保持部と蓋とで閉じた状態に保持することを特徴とする。この構成によって、タグ部材を取り付けるための粘着シートが不要となり、蓋によりメカニカルに確実に保持できることになる。
【００１４】
また、係合部はテーパを有することを特徴とする。この構成によってシャーシへの取り付けが容易になる。
【００１５】
また本装置では、保持部がシャーシの側面部の上端より上に設けられている。この構成により、金属製外装カバーとの距離が任意に設定可能となり、またシャーシ上の部品との配置上の干渉が回避でき、さらに金属製シャーシ自体による検知障害も回避できるので、タグ部材の効果的な検知位置への配置が容易になる。
【００１６】
また本装置ではシャーシ板厚方向の係合長さが、外装カバーの内面と係合部の背面との間で形成される隙間より長く形成される。この構成によって、外装カバーが組み込まれた後は、弾性的に変形する係合部の押圧力がたとえ小さくても、前記隙間との寸法関係により突出部全体が開口から外れることはなく、係合部がシャーシ側面部に確実に保持されることになる。
【００１７】
さらに本装置では、蓋のリブ背部と外装カバー内面との隙間は蓋の保持に必要な程度に十分小さく形成される。係合爪による蓋の閉鎖係合がこの配置でバックアップされる構成となる。その結果、粘着シートを使用しなくとも、係合爪とこの狭い隙間との２重の手段によって蓋の閉じた状態が保持され、タグ部材が確実に保持部に保持される。
【００１８】
【発明の実施の形態】
（実施の形態１）
以下、本発明の実施の形態１について、図面を用いて説明する。図１、図２、及び図３はそれぞれ本発明の実施の形態１による分解斜視図、要部断面図、及び部分斜視図であり、図において商品（保護対象品）はシャーシ３，フロントパネル３ａ，リアパネル３ｂおよび外装カバー４で構成される。１は合成樹脂成形によりできた保持手段である保持部材であり、主に上部に位置するタグ部材２用の凹状の保持部５と、保持部５を商品における外装カバー４から任意の一定距離はなすため保持部５の下端に設けた連結部５ａと、下部に位置する係合部６とが含まれる。タグ部材２は前記保持部５の凹部に案内されて所定の位置に両面テープなどの粘着シートで取り付けられ、電気的または磁気的手段からなる検知手段によって離れた外部からも検知可能である。シャーシ３は左右に対向する一対の側面部を有しており、保持部材１を装着する個所のシャーシ側面には開口７が形成されている。
【００１９】
保持部材１の中央から下方向に延びる内側挟持部材９と外側挟持部材１９または係合部６との間にはシャーシ３の上端部を挟持する溝２３が形成され、また係合部６の先端には開口７に係合する突出部が形成されて、係合部６は商品におけるシャーシ３の側面上部と開口７とに精度よく係合保持されている。なお係合部６の突出部の下端内側に図２，３に示すようにテーパ２２をとり、また外側挟持部材１９の下端内側にもテーパ２１をとって、保持部材１を上方からシャーシ３に差し込む際に装着しやすい構造になっている。シャーシ３の外側に設けられた外装カバー４と保持部材１の外側端となる係合部６の背面との隙間は、係合部６の突出部がシャーシ３の開口７に係合する係合方向の長さ、すなわちシャーシー３の板厚方向の長さより少なくなるよう形成され、このため外装カバー４がシャーシ３に取り付けられた後は係合部６の突出部が開口７から外れない構造になっている。保持部５はシャーシ３の上端部より上に配置され、タグ部材２と外装カバー４との水平距離を任意に設定するため連結部５ａによって保持部５と係合部６とが結合されている。本実施の形態で使用するアコーストマグネチック方式では、検知手段とタグ部材２の間に金属が介在する場合は、タグ部材２と金属とを連結部５ａにより一定の適宜距離を離して配置することで検出が可能となる。これはタグ部材２が検知手段の発信アンテナから出される断続的な電波に共振し、同じ周波数の電波を再放射する際に、金属が近いとタグ部材２からの電波のエネルギーが消耗されてしまい、検知手段の受信アンテナで感知できなくなるからである。商品における外装カバー４は一般的に金属材料で構成されるが、タグ部材２は外装カバー４から一定距離はなれているので、タグ部材２は保持部材１によってシャーシ３の側面部で、検出に適した位置に精度よく確実に係合保持されるものである。
【００２０】
この構成によって、タグ部材２を保持する保持部材１がシャーシ３の側面部に保持され、外装カバー４で被われるので、タグ部材２は商品の内部に保持されることになる。さらに、保持部材１の取り付けをシャーシ３の左右両側面においてシャーシ３側面の長さ方向に広く選択できるため、設計自由度が高く、さらに保持部５がシャーシ３の上端部より上に設けられているため、シャーシ３内取り付け部品との場所的干渉も回避されやすい。なおタグ部材２は、適当な検知手段によりその存否を検出できる任意の形式のもので構成してもよく、例えば、前述のマグネチック方式、ラジオフリーケンシィー方式によるもので構成してもよい。また、上記実施の形態において保持部材１の係合部６を突出した形状とし、シャーシ３の係合部を開口７で形成したが、その逆に保持部材１の係合部を開口としシャーシ３の係合部を凸形状で形成してもよい。
【００２１】
（実施の形態２）
次に、本発明の実施の形態２について、図面を用いて説明する。なお、本実施の形態２は、タグ部材２を案内保持する保持手段である保持部材の別の実施例に関するものである。そのため保持部材以外の関係は、実施の形態１で説明した内容と変わらない。図４及び図５は本発明の実施の形態２による部分断面図であり、図６はその部分斜視図である。図中で実施の形態１と同じ機能については、同一番号を附し説明を省略する。図において１１は保持手段である保持部材で、実施の形態１で説明したものと同様に合成樹脂成形であり、タグ部材２を案内保持する保持部１２と、この保持部１２から薄板構造のヒンジ１３を介して一体成形で設けられたリブ１６付き蓋１４と、蓋１４を閉じた状態でこの蓋１４に係合する係合爪１５とが保持部１２に形成され、実施の形態１と同様に保持部１２を外装カバー４から任意の一定距離はなすため保持部１２の下端には連結部１２ａが設けられる。蓋１４は保持部１２に対して開閉可能であって、図４は開の状態を、図５は閉の状態を示している。初期は開いた状態に設けられてあり、タグ部材２を保持部１２の凹部に取り付け可能に形成されている。タグ部材２を保持部１２に取り付けて、蓋１４を閉の位置に回転させると、ヒンジ１３が薄板であるため彎曲し、蓋１４は回転軸長さ方向の保持部１２両端に設けられた係合爪１５に係合して保持される。また図６に示すように、保持部１２と蓋１４のそれぞれの長さ方向中央付近には閉じたときに正確な長さ方向に位置決め案内するために、それぞれ係合位置案内部材１７と切り欠き部１８が取り付けられる。これは、蓋１４が長さ方向左右に負荷が過度にかかったときに蓋１４が長さ方向左右にずれることによって、係合爪１５が破損しないようにするためである。この閉じた状態のとき外装カバー側となる蓋１４のリブ１６の背部と外装カバー４の内面との隙間は閉じた状態の蓋１４の保持に必要な程度に十分少なくなるよう形成されている。閉じたときの蓋１４のリブ１６の背部と係合部６の背面とは略同一の垂直関係にすることができる。
【００２２】
この構成によって、保持部１２の凹部に案内されたタグ部材２は前記係合爪１５によって保持部１２と蓋１４とで閉じた状態に確実に保持されるので、タグ部材２を取り付けるための粘着シートが不要となる。さらに蓋１４のリブ１６背部と外装カバー４内面との隙間を十分小さくすることができ、外装カバー４が組立てられた後は蓋１４は閉じた状態を保持される。この係合爪１５による閉鎖係合とバックアップとしてのリブ１６の背部間隙とによって蓋１４の閉じた状態が確実に維持される。その結果、粘着シートを使用しなくとも、保持部１２からタグ部材２が落下する恐れがなく、タグ部材２が確実に保持されることになる。
【００２３】
また図４または図５に示すように、保持部材１１に下方向の係合凸部２０を設け、係合凸部２０とほぼ同じ長さのシャーシ上端の係合切り欠きに係合させる。これによって保持部材１１はシャーシの長さ方向に拘束され、前述の係合部６と挟持部材９，１９間に形成される溝２３とによる上下および左右方向の拘束とともに保持部材１１は完全にシャーシの任意の一定の位置に拘束固定された状態で装着されることになる。前記係合切り欠きはシャーシ長さ方向の所望の一定の個所に設けることができるので、例えば、精算所で正当に支払を済ました商品に対して定位置にあるタグ部材２を確実に無効化処理することができる。したがって無効化処理されていない盗難された商品のみが店舗出口の検知装置で検知されてアラームが発され、支払を済ました商品はアラームがでない。
【００２４】
【発明の効果】
以上のように本発明によれば、タグ部材を保持する保持部材が保護対象商品の内部に保持されるため、包装ケースから保護対象商品のみを抜き取られた場合でも、保護対象商品を検知することができ、商品の保全効果を高めることができる。さらに、保持部材の取り付け位置をシャーシの左右両側面でシャーシの長さ方向に広く選択できるため、設計自由度が高く、効果的な検知位置への配置が容易なセキュリティー装置ができるという優れた効果が得られる。また、タグ部材を取り付けるための粘着シートを不要とすることもでき、この場合でも保持部からタグ部材が落下する恐れがなく、タグ部材をより確実に保持できることになる。また、タグ部材の効果的な検知位置への配置を容易にできる。さらに、保持部材をシャーシ側面部に確実に保持することもできる。
【図面の簡単な説明】
【図１】本発明の実施の形態１による分解斜視図である。
【図２】本発明の実施の形態１による要部断面図である。
【図３】本発明の実施の形態１による部分斜視図である。
【図４】本発明の実施の形態２による蓋が開位置を示す部分断面図である。
【図５】本発明の実施の形態２による蓋が閉位置を示す部分断面図である。
【図６】本発明の実施の形態２による蓋が開位置を示す部分斜視図である。
【図７】従来例におけるタグ部材の取付けを示す断面図である。
【符号の説明】
１      タグ保持部材
２      タグ部材
３      シャーシ
４      外装カバー
５      保持部
６      係合部
７      開口
１１    タグ保持部材
１２    保持部
１３    ヒンジ
１４    蓋
１５    係合爪
１６    リブ
２２    テーパ
２３    溝
【図１】
0004229725.tif 000002
【図２】
0004229725.tif 000003
【図３】
0004229725.tif 000004
【図４】
0004229725.tif 000005
【図５】
0004229725.tif 000006
【図６】
0004229725.tif 000007
【図７】
0004229725.tif 000008